(57)【要約】      （修正有）【課題】新しいタイプの発電機として応用できる、熱機関と違う原理の公害の無い、人体に対する放射線被曝の無い、核分裂による自発昇温性の無い、故障等の揉め事が皆無に近い、経済性が高い、利便性が良い、γ線製造器である（γ線）源、を実現する物体を提供する。【解決手段】プルトニウムの徴細粒子群１８と減速材である液体水素２１とを混合した混合溶液を２枚の板５の間に挾みながら密封状態に保存したままで混合溶液と２枚の板１，５とを一体化した物体である。中性子１９の核分裂を抑制しなお旦つ放射線であるγ線１０を有効なエネルギー源として利用する。発電に関する一例としては自然発生と人工的な発生とを併合したγ線１０をアモルファス半導体素子に照射し（内部光電効果）からの（光起電力効果）に依って電流を発生させる。【選択図】図８
0003190840.tif 000002
【実用新案登録請求の範囲】
【請求項１】
水素原子核を含有した液体を溶媒とし、微細粒子加工技術を施工した放射性物質の微細粒子群を前記溶媒に対応した溶質として混合した混合溶液を複数個の固体の挟間に挾みながら密封状態に保存したままで前記混合溶液と前記複数個の個体とを一体化した物体。
【考案の詳細な説明】
【技術分野】
【０００１】  本考案はその毒性、及び核分裂から起因する自発昇温性、及びその後の核爆発の危険性が人類に対する脅威の一つとして有名な核廃棄物である例えばプルトニウム２３９及びその他の核分裂性核種等の放射性物質の取り扱い上の安全性の強化と放射能として知られていて自然発生している放射線を有効なエネルギー源として利用しつつなお且つ前記放射線を新たに生産し産業上利用する上での価値の高い、経済性と利便性の高い高品質のガンマ線（γ線）製造器、である、ガンマ線（γ線）源、に関する。
【背景技術】
【０００２】  公知のγ線の発生方法としては大量のコバルト６０を容器中に収納させる方法や、サイクロトロン加速器で電子を加速させ鉛に照射する方法や、加速した電子にレーザー光線を照射してγ線を発生させる方法等、様々であるが過去にそれらの方法で得たγ線を利用して発電を行ったという前例及び実例は無かった。それは前記公知のγ線の発生方法では前記容器や前記γ線発生装置等の価格及び構造等の経済性、及び利便性等の諸問題が関係している事と推察できる。又上記の事柄とは別の趣旨の事例として従来の公知の発電方法には主に原子力発電、火力発電、水力発電、風力発電、太陽光発電、地熱発電、燃料電池等、が有る。
【考案の概要】
【考案が解決しようとする課題】
【０００３】  公知のγ線発生源には例えばコバルト６０等が有り、又γ線発生装置にはサイクロトロン加速器やシンクロトロン等、様々な器械等が作動しているが、前記コバルト６０の様な放射性同位体や前記器械等の価格は非常に高額であり又、前記γ線発生装置の構造は前記放射性同位体を収納する容器も含めて（発電）を目的とした物ではないため前記公知のγ線源には発電を行う上での経済性及び利便性及び必然性において数多の問題点が有る。又［０００２］、で述べた従来の発電方法では環境汚染を招いたり（火力発電）、莫大な建設費用がかかったり（水力発電）  蓄電能力が無いために気象条件によって発電能力が左右されたり（太陽光発電＝太陽電池、風力発電）、発電力はあるが  その後の核廃棄物が有毒でしかも核爆発の脅威をも併せ持つ危険な物であり、その貯蔵場所の選定あるいは貯蔵方法いかんによっては地震や津波等の様な天変地異や他国からの攻撃による発電施設の破壊等から被る被害等はとてつもないものに成り得る。（原子力発電）、天然のマグマという溶岩の発熱を利用するので地震で地割れが起きると前記熔岩流が発電用の配管に進入してくる恐れがある。（地熱発電）  害は無くても発電力が乏しく稼働寿命も短い（燃量電池）、等々の短所も多い。【０００４】  本考案はこのような従来の発電方法が有していた前記短所を克服し解決しようとするものである。
γ線がその粒子性及び直進性による強い透過力によって高い（内部光電効果）を発揮することは公知の事実である。例えばγ線の前記内部光電効果は可視光線の何千、あるいは何万倍にも成る。具体的な数値ではγ線１量子当たり１０万電子ボルトから１億電子ボルトである。
核廃棄物であり、放射性物質である、例えばプルトニウム２３９中の中性子の核分裂を抑制しなお且つ放射能として知られている放射線というエネルギー状物を自発的に１億年近くも放射し続けるという特性を（光電効果）に依って直接電流に変換する事で、取り扱いが安全でしかも発電能力が高く高出力でさらに長寿命の発電機として定評のある蓄電池の長所を取り入れた新しいタイプの発電機として応用できる、熱機関と違う原理の公害の無い、人体に対する放射線被曝の無い、核分裂による自発昇温性の無い、故障等の揉め事が皆無に近い、経済性が高い、利便性が良い、γ線製造器である（γ線）源、を実現することを目的とするものである。
【課題を解決するための手段】
【０００５】  核廃棄物であり又、核分裂性核種でもある、一つの例としてのプルトニウム２３９中に存在する中性子（素粒子）は前記プルトニウム２３９を立体的に（凝集）又は（凝縮）させると前記中性子同士の衝突が活発になる事に伴って前記中性子の直進運動の運動速度が速くなり、或る原子核から分離した後に飛行した前記中性子が前記原子核とは別の原子核内に飛び込む等の現象に依って核分裂が引き起こされる。例えば貯蔵庫内の１ヶ所にプルトニウム２３９の入ったドラム缶を数多く山積み状態に集約させる（臨界事故）事で異常な発熱を誘引することや原子爆弾内の一定量のプルトニウム２３８を爆縮させる（核爆発）事等、である。では逆に人間が普通に生活できる程度の気温である常温中において適量のプルトニウム２３９の微細粒子群を溶質とし、液体水素を溶媒とした放射性の混合溶液を、２個（それぞれ相互に同一とするアルミニウム製の円盤）の金属板の挟間に挾みながら密封状態にして保存したまま前記２個の円形の金属板を加圧し、接着する事で前記放射性の混合溶液の面積を増大させ平面的な超薄膜円形状態の液体に形成し前記溶質としたプルトニウム２３９の微細粒子群達同士個々、のそれぞれを相互に個別に前記溶媒である液体水素を前記個々、の間に介在させた状態において分散させ、前記それぞれの相互の距離を拡張及び拡散させれば前記中性子同士の衝突は前記（凝集）及び（凝縮）させる事と比較するとはるかに起こりにくくなるのではないかと考えた。接着剤を界して２枚が貼り合わされた円形の金属板の接着面付近の挟間の空間内に前記円形の金属板と同心円形状に充填され、密封され、気化が不可能で定位置に停止させた前記超薄膜円形状態の液体であるプルトニウム２３９の微細粒子群が混入した前記放射性の混合溶液は常時放射能である放射線を約１億年もの長期間、自然発生し続ける。アルファ線（α線）とベータ線（β線）とガンマ線（γ線）の３種類の放射線である。前記円形の金属板の厚みのせいでγ線だけしか前記金属板の内部から外部に向かっての貫通は不可能となっている。以上の説明文が「考案の名称」で明記された題名である（核分裂性核種等の放射性物質と水素原子核を含有する液体とを混合した混合溶液を原材料として用いる事を特徴とした「ガンマ線（γ線）製造器」の大雑把な概要であり、それは前記放射性の混合溶液を２枚の円形の金属板の挟間に挾みつつ密封状態で保存したまま接着剤によって前記２枚を相互に貼り合わせた１枚の円盤である。
前記円盤の円形の面（表と裏の両面）に従来の公知の薄膜形状物体であるアモルファス半導体素子よりも、もっと肉厚（例えば２〜３ｃｍ）なアモルファス半導体素子を組み合わせればγ線の（内部光電効果）からの高い（光起電力効果）に依って公知の太陽光発電では不可能な程の大出力の電流が発生することと同時に伴う経時変化である（コンプトン散乱）現象に依り前記γ線は前記肉厚のアモルファス半導体、内部において吸収され漸時消滅して行く事で前記放射性の混合溶液の本考案本体の内部から外部への液漏れが無く又、放射能漏れも無い事で人体への悪影響が皆無であり安全である。
【考案の効果】
【０００６】  大気中において存在する本考案である１個の金属性の円盤形状の物体中の放射性の溶液がプルトニウム２３９の微細粒子群をα線崩壊核種からγ線崩壊核種へと変移させることで約１億年か又はそれ以上の長期間に及んで大量のγ線だけを休み無く自発的に自然発生し続ける。ちなみにγ線はその直進性から透過力が強く、その（内部光電効果）からの（光起電力効果）は、γ線１量子当たり可視光線の数千倍から数万倍で有り具体的な数値では１０万電子ボルトから１億電子ボルトにまで達するのでγ線は前記金属製の円盤中を貫通後でも前記γ線のアモルファス半導体内部での前記（内部光電効果）とその後の（光起電力効果）によってかなりの大出力の（電流）が期待できる。【０００７】  本考案本体からの人体への放射線被曝が無い。【０００８】  本考案本体中に挾まれたままで保存されている放射性の溶液に対する安全対策により、核分裂による自発昇温性から起因する核爆発等の危険性が皆無である。【０００９】  本考案である円盤形状の物体は使用目的によって適宜な大きさに成形が可能であり、前記放射性の溶液中の溶媒が水（Ｈ２Ｏ）で成功すれば前記円盤を常時、常温に保つだけで済む事であり、特に液体水素を冷却する様な高額でしかも大規模な冷却装置の必要性は無くなることから本考案の設置場所も時、と場所、と場合、を選ばず自由で様々な可能性が考えられる。例えば地上はもちろんの事、地中、水中、海中、山頂、森林中、砂漠中、船舶中、自動車中、飛行機中、ロボット中、宇宙空間中、等々であり又、何処へでも移動可能であるし、設置の際に必要な空間は円盤形状か又は球形であるので無駄が少ないし又、本考案本体は人間がそれを動かせる程度の重量である。【００１０】  本考案を球形の金庫の様な構造物内に収納して保存すれば地震等の天変地異に際しての安全性はより一層向上するし、放射能による人体への被曝に対する安全対策としてもより一層万全な物に成る。又本考案を地下に埋設すれば落雷に依る停電の心配も無い。【００１１】  本考案本体は公知の信頼できる金属材料やセラミックス等が使用されており又、前記本考案本体内に挾まれたままで保存されている放射性の溶液は非常に微量であるため原材料が安価である。しかしその割合にはγ線という強力なエネルギーを有する放射線が長期間休みなく大量に自然発生し続ける等、総合的に高い経済効果が期待できる。【００１２】  発生音が皆無であり又、無臭である。【００１３】  発電機が家庭内に１台有れば送電線が必要無いので台風等の雨や風に依る被害が無い。【００１４】  排気ガスが出ないため地球温暖化等の環境破壊が無い。【００１５】  本考案本体からの放射性の溶液の液漏れが皆無であるため環境汚染が無い。【００１６】  太陽光発電のソーラーパネルの反射光による（まぶしさ）が公害問題になっている。
本考案には前記反射光による（まぶしさ）という現象が発生し無い。【００１７】  例えば本考案本体の体積である（半径２×３．１４×物体の厚み）、と対比して放射性の溶液全体の体積が１ｍｍ３だとすると前記放射性の溶液は非常に微量である事に加えて静止状態で前記本体内に挾まれたままで保存されているので当然、液体の流動による水圧や水流が発生せず表面張力と前記液体を構成している分子相互間の（ブラウン運動）との２つの作用だけなので前記放射性の溶液中のプルトニウム２３９の微細粒子群達はそれぞれ相互に個々、個別に前記（ブラウン運動）のせいで絶えず常時、複雑に無秩序に自由に流動していて定位置に停ることが無いので前記考案本体内の接着面、壁に対する放射能の悪影響が少ない事で現実の原子力発電施設の放射能を帯びた配水管、壁の穿孔、現象の様な事故が発生し難い。つまり本考案本体に対する前記放射性の溶液からの放射能が原因とする金属やセラミックス表面壁に対する腐蝕に依る侵食が長期間発生しない。
【図面の簡単な説明】
【００１８】
【図１】本考案の略称、「γ線製造器」の部品を示す平面図及び正面図
【図２】図１と同一の物体として仮定することを示す平面図及び正面図
【図３】図１  図２とが相互に合体して完成した略称、「γ線製造器」平面図及び正面図。
【図４】図３における略称、「γ線製造器」の一点鎖線Ｂｃで示す断面図。
【図５】図４における略称、「γ線製造器」の応用実施例としての断面図。
【図６】図３に示した略称、「γ線製造器」の立体図面
【図７】（核子相互関関係の３次元ビリヤード効果）に依る（ブラウン運動）現象の考え方の概念の図示であり図４内の放射性の溶液２の内情の詳細を示した拡大図、略称、「放射性３次元ビリヤード効果」又は「放射性ビリヤード効果」。
【図８】図７内の要所以外の部分を削除し省略した事で簡略化した図７のコピー。
【図９】「立方体、分割方式、計量法」、略称「立方体計量法」の考え方の概念を図示した立体図面。
【考案を実施するための形態】
【００１９】  本考案に関する複雑で煩雑な事物の計量を幾何学上においての立方体の概念を利用して目視的に簡略化及び合理化した、大雑把に大体の数量を直ぐに把握する事に簡便な思考方式である仮称、「立方体、分割式、計量法」を略称した「立方体計量法」について。例え話であるが図９で示す様に、最初に仮りに、或る幾何学的な１ｃｍ３の立方体を想定する。前記立方体は１０００ｍｍ３でもある。つまり１ｃｍ３の立方体とは一辺１０ｍｍの立方体という事である。だから一辺１ｍｍの立方体、１０００個分である。この事は一辺１０ｍｍの立方体を１個につき一辺１ｍｍの立方体に細分割して縮少すると１０の３乗倍の１０００個の一辺１ｍｍの立方体が製造されるという事と同一である。つまり１個の固体である物体の体積が１個あたり１０００分の１に縮少しつつも逆に数量は１０００倍に増大したということである。実際にはナノテクノロジー施工後の超微細粒子群達は個々、それぞれ相互に個別に形状の異なる不定形状物であろうが、これらをあえて事物に対する複雑で煩雑な計量作業の簡略化及び合理化から前記超微細粒子群達を個々、それぞれ相互に個別に同一の幾何学上においての立方体として前記個々の全てを統一した考え方に想定し、そして仮定する。本考案においては前記ナノテクノロジーという呼称で有名な超微細粒子加工の技術を駆使し、ナノテクノロジーの施工に依って例えば放射性物質であるプルトニウム２３９の固体の立方体形状物である１ｍｍ３の１個は、一辺１００万分の１ｍｍの立方体形状物に形成し縮少すると１００万の３乗倍であるから前記立方体形状物は１００京個の前記微細粒子群に細分割された立方体形状物として製造される。ナノテクノロジー施工後のプルトニウム２３９の前記超微細粒子群達の個々、はそれぞれ相互に分離し合いそしてそれらを全て液体水素を溶媒とした事に対応する溶質とし、前記溶媒と前記溶質とを混合した混合溶液を（放射性溶液２）と仮称する。ちなみに前記プルトニウム２３９の１ｍｍ３の固体の１個はナノテクノロジー施工後、その表面積は１００万の１乗の百万倍に増大し、その個数は前記１個から１００京個へと１００京倍に増大する。前記溶媒である液体水素は１ｍｍ３と仮定する。図１は無垢のアルミニウム製のＤで示した直径１ｍ、Ａｃで示した厚さ１ｃｍの円形状の金属板であり円盤である。図１と図２とはそれぞれ相互に同一の物体として仮定する。地球上の１気圧内において、しかも人間が普通に生活できる気温である常温中において約１ｍｍ３〜２ｍｍ３程の微量の放射性溶液２である放射能を帯びた水滴を平滑な平面である図１の中心点４に１滴落下させると前記水滴の形状は図１の２の様な同一の中心点４を中心に拡大するほぼ同心円形状態になる。この事は液体の特性である表面張力が作用した事に依る。本考案を構成する要素としての前記溶媒は、できれば水（Ｈ２Ｏ）で成功すれば理想的であるが本考案の内容を科学的に解説及び説明するには前記溶媒は液体水素の方がより一層明確で効果的であり理解され易いと思われる。図１及び図２の円形状の平面は分子相互間、関係の規則正しい配列を形成する程度に精巧である平滑面である事が必要である。円盤１と円盤５とは円盤１の外周付近だけに限���された分量を塗布された接着剤３と放射性溶液２である前記水滴とを界してそれぞれ相互に一体に貼り合わされ図３で示す１個の円盤６として成形される。円盤６の接着剤９は接着剤３が占める空間と放射性溶液２が占める空間、以外の空間である隙間の間隔が挟まって行くに連れて前記微量の放射性溶液２は毛細管現象に依り前記隙間の挟間に進入して行きその面積は徐々に拡大して行く事に伴いプルトニウム２３９の超微細粒子群達も一緒に拡張及び拡散して行く事で前記超微細粒子群達同士、相互の距離が遠去かる事に依りプルトニウム２３９の有する特性である自発的な核分裂から起因する自発昇温性からの異常発熱及び核爆発の危険は遠去かる。そして前記毛細管現象が限界まで達した時、再び放射性溶液２には表面張力が作用しようとするが円盤６は２枚の円盤１と円盤５とに依って相互に加圧され貼り合わされた事によって放射性溶液２は収縮が困難で不可能と成る事で放射性溶液２は一定の面積の円形状の超薄膜形状態で定位置に停まらざるを得なくなる。それが図３の７で示している接着剤３が存在している場所以外の空間８を挟んで定位置で移動できずに充填されているＥで示した直径８０ｃｍと仮定した超薄膜形状態でほぼ円盤形状態の放射性溶液２であり接着剤３とは間隙である空間８を界して接触していない。プルトニウム２３９には強い毒性が有りそれの接着剤３を侵食して円盤６内部から外部に向かっての放射性溶液２の液漏れの危険性を回避するためである。又放射性溶液２には円盤１と円盤５とをそれぞれ相互に引き剥がす様な円盤１及び円盤５の円形の平面に対しての垂直方向の力である矢印１０、で示す同一直線（破線１７）上のそれぞれ相互に反対方向である２方向の力に対しての接着剤としての役目も有る。なお放射性溶液２は前記加圧に依り密封された状態で定位置に停まっていながら前記充填されている事等の条件に依り、逃げ場が無いだけでなく、気化も不可能である。本明細書中における素粒子相互間、関係の複雑な運動エネルギーの変移や放射性の経時変化の実態を幾何学上における球体の概念を利用し、目視的に簡略化及び合理化するための簡便な思考方式を「放射性核子相互間、関係における３次元ビリヤード効果に依るブラウン運動」と仮称し、それを「放射性３次元ビリヤード効果」と略称する。放射性溶液２の全体を構成している全素粒子群の内、例えば液体水素の全水素原子核中の水素原子核１個とは核子数が１、００８であり原子番号は１である。これは陽子という核子の数が１個であり中性子という核子の数が０、００８個ということを示している。前記中性子は無（０）に等しい程の微量の質量の存在であり本明細書中においては前記質量は説明の都合上、無（０）と仮定する。プルトニウム２３９の原子核１個の核子数は２３９個で原子番号は９４であるから中性子が１４５個有る。そして中間子は９４個であると思われる。放射性溶液２全体を構成している全素粒子群中での水素原子核１個の核子数を１個として仮定して数えプルトニウムの原子核１個の核子数である２３９個と前記核子数１個とを合計すると、つまり前記水素原子核１個と前記プルトニウム２３９の原子核１個との全核子である中性子と陽子との合計が２４０個で中間子が９４個で���りは電子という事であるが、前記全素粒子全体を俯瞰すると中性子と陽子とが占める割合が前記全体の中で圧倒的に多い。そこであえて前記全素粒子群中の核子群のみの個々、をその全てが個別にそれぞれ相互に同形、同寸、同質量とする考えつまり前記核子群全部をまとめて幾何学上においての同一の球体として統一して想定し、そして仮定する。（ビリヤード）という名称で有名な別名（撞球）とか（玉突）等という名称の遊戯が有る。アメリカのハリウッドの映画で題名が（公序良俗違反につき、不掲載）という名称の遊戯である。球技の実際の行為を克明に詳細に映像化した作品である。この映画での前記球技とは平面板（２次元）上において多数個の同形、同寸、同質量、の球体、すなわち個々、それぞれ相互に個別に同一の球形状物体の集合体のそれぞれ相互の衝突やその後の拡散現象及び分散状況等の前記平面板上での球体が回転しながら直進運動を行っている状況が目視できる。例え話であるが前記映画中の映像で平面板（ビリヤード台）上に１個の球が停止していると想定する。前記１個の球と別のもう１個の球（２個の球はそれぞれ相互に同一の質量の物体であるとする。）が一定の距離をおいて存在し、棒（キユー）に依って突かれ転がりながら直進運動を行い前記停止している球に衝突すると、衝突したいわゆるぶつけた方の球は運動エネルギーを失い非常に減速して停止状態に近い程の低速度に落ちる事に対して衝突された、いわゆるぶつけられた方の球は前記停止状態から前記運動エネルギーを獲得したかのように勢い良く転がって行くという現象を目視できる。放射線溶液２を構成している全素粒子群は個々、それぞれ相互に個別に同一の球体として想定されつつ仮定されているから放射性溶液２全体は３次元的なビリヤード台として考えられる。別の形態に例えるなら、一定の容積の箱の中に多数個のパチンコ球がギッシリ詰め込まれた状態での形態の流体であり、それは放射性溶液２を比喩した液体の形態である。本明細書中において放射性溶液２中の素粒子の内の例えばプルトニウム２３９中の１個の原子核から分離した１個の中性子が直進運動を起こして水素原子核中の陽子１個と衝突する事を「放射性ビリヤード効果」と仮称する。何もしなくても静止状態の液体には分子相互間同士に（ブラウン運動）が作用する。前記（ブラウン運動）とは前記液体の分子群が相互に複雑に無秩序に一定の方向性も無く曲折運動を行う事であるから前記分子群達はそれぞれ相互に揉み合いながら内部摩擦に依る摩擦力を発生させる。プルトニウム２３９中の陽子の核子の数は９４個であり中間子の核子の数も９４個と考えられるから残りの１４５個の中性子の内の５１個の中性子には中間子が存在しないため前記陽子との結合形態に無理が生じ核力という結合力が不足しているため前記５１個の中性子群は常時前記２３９の原子核から離脱し易い状態にある不安定で過剰な核子群達であると考えられる。前記過剰な核子群達は前記（ブラウン運動）の前記摩擦力に依ってプルトニウム２３９の原子核から離脱し、分離後、遊離で自由な中性子として直進運動を起こして水素原子核と衝突するが前記中性子の周囲は３次元的（立体的）な水素原子核の壁に覆れている事で前記分離後の中性子の特長である���進運動は遮られ阻まれている事で身動きができず非常に減速され停止に近い状態にまで前記直進運動の運動速度は低下する。前記「放射性ビリヤード効果」に依れば衝突された方の水素原子核中の１個の陽子は前記過剰な核子群中の１個の中性子から運動エネルギーを獲得して運動を起こす。前述の物理現象はプルトニウム２３９のナノテクノロジー施工後の前記「立方体計量法」に依る１００京個に細分割された前記超微細粒子群の全てにあてはまる事であるから前記静止状態の放射性溶液２全体には分子相互間だけでなく原子核相互間においても（ブラウン運動）が起きる可能性が有り前記中性子の直進運動は曲折運動に変化し、中性子線同士の衝突に依る核分裂の危険性はより一層遠去かる。放射性溶液２中の水素原子核はあえて陽子１個だけで構成されていると仮定されており中間子に依る核力である結合力として吸引力は劣化せず維持されているのでこの事を別の自然現象に例えるなら万有引力を自然発生している地球として比喩される。なお前記中間子は説明の都合上矢印２０、で示す吸引力の図示、以外には図示していない。「捕獲断面積の１／υ法則」とは（捕獲断面積は中性子の運動速度に反比例する。）という物理現象であるので前記停止状態に近い前記分離後の遊離でしかも自由な運動速度の極めて低い中性子１９は核力の大きい、つまり吸引力の強い水素原子核２１中の陽子に（放射性捕獲）をされ易い状態にあり前記（放射性捕獲）が行われると放射性溶液２中の水素原子核２１は水素１から水素２へと複合核という新しい形態のすなわち重陽子２２に転換される。そして前記重陽子２２に転換された時点においてγ線が放出される。前記「立方体計量法」と前記「放射性ビリヤード効果」との考えを併用して算出すると合計で前記γ線は２００京量子分程放出される事に成る。上記の事柄は「原子核人工変換」の作用では無く、「原子核人工転換」の作用である。
【符号の説明】
【００２０】１  金属であるアルミニウム製の１個の円盤か又は１塊の無垢の肉厚のアモルファス半導体素子の１個の円盤。３〜４ｃｍの厚みが理想的。  図１
２  放射性の溶液。略称、放射性溶液。  図１
３  接着剤。  図１
４  中心点。  図１
５  仮りに１と同一の物体と想定しつつ仮定した１個の円盤状の物体。  図２
６  １、と２、とが放射性の溶液２を挾んだままの状態で保存しながら合体し、１個の円盤形状として形成された物体。  図３
７  毛細管現象に依り放射性の溶液２の面積が限界まで拡大された後に表面張力に依って放射性の溶液２が定位置で停まったまま移動不可能である事を示す図。  図３
８  空間。  図３
９  接着面。  図３
１０  ガンマ線（γ線）。  図４、図５、図６、図７、図８、
１１  β線。  図４、図８
１２  α線。  図４  図８
１３  電子。  図５
１４  （光電効果）及び（内部光電効果）  図５
１５  （コンプトン散乱）現象。  図５
１６  アモルファス半導体素子。  図５、図７、図８
１７  １０の（γ線）の直進方向（２方向）との同一直線上とする破線。  図６
0003190840.tif 000003
２０  水素原子核中の陽子の保有している中間子が自然発生している核力である結合力を吸引力として考え前記吸引力を矢印の方向で示した図。  図７、図８
0003190840.tif 000004
２２  ２１の水素原子核中の陽子１個が１９である低速度の中性子１個を（放射性捕獲）に依って捕獲し水素１から水素２へと複合核として形成された重陽子である事の図
0003190840.tif 000005
２３  本明細書内での説明上においての長さ１ｃｍ（１０ｍｍ）として想定しつつ仮定した事の図示。  図９
２４  本明細書内での説明上においての長さ１ｍｍとして想定しつつ仮定した事の図示。  図９
２５  ２６で示した１ｃｍ３（１０００ｍｍ３）の立方体１個から２７の１ｍｍ３の立方体１個を取り出した事の図示。  図９
２６  本明細書内での説明上においての１ｃｍ３の立方体として想定しつつ仮定した事の図示。  図９
２７  本明細書内での説明上においての１ｍｍ３の立方体として想定しつつ仮定した事の図示。  図９
Ａｃ  Ａａ−Ａｂ線  円盤１の厚み。  図１
Ｃｃ  Ｃａ−Ｃｂ線  略称、（γ線製造器）である円盤６の厚み。  図３
【図１】
0003190840.tif 000006
【図２】
0003190840.tif 000007
【図３】
0003190840.tif 000008
【図４】
0003190840.tif 000009
【図５】
0003190840.tif 000010
【図６】
0003190840.tif 000011
【図７】
0003190840.tif 000012
【図８】
0003190840.tif 000013
【図９】
0003190840.tif 000014
【手続補正書】
【提出日】平成26年3月13日(2014.3.13)
【手続補正１】
【補正対象書類名】明細書
【補正対象項目名】００１９
【補正方法】変更
【補正の内容】
【００１９】  本考案に関する複雑で煩雑な事物の計量を幾何学上においての立方体の概念を利用して目視的に簡略化及び合理化した、大雑把に大体の数量を直ぐに把握する事に簡便な思考方式である仮称、「立方体、分割式、計量法」を略称した「立方体計量法」について。
例え話であるが図９で示す様に、最初に仮りに、或る幾何学的な１ｃｍ３の立方体を想定する。前記立方体は１０００ｍｍ３でもある。つまり１ｃｍ３の立方体とは一辺１０ｍｍの立方体という事である。だから一辺１ｍｍの立方体、１０００個分である。この事は一辺１０ｍｍの立方体を１個につき一辺１ｍｍの立方体に細分割して縮少すると１０の３乗倍の１０００個の一辺１ｍｍの立方体が製造されるという事と同一である。つまり１個の固体である物体の体積が１個あたり１０００分の１に縮少しつつも逆に数量は１０００倍に増大したということである。
実際にはナノテクノロジー施行後の超微細粒子群達は個々、それぞれ相互に個別に形状の異なる不定形状物であろうが、これらをあえて事物に対する複雑で煩雑な計量作業の簡略化及び合理化から前記超微細粒子群達を個々、それぞれ相互に個別に同一の幾何学上においての立方体として前記個々の全てを統一した考え方に想定し、そして仮定する。
本考案においては前記ナノテクノロジーという呼称で有名な超微細粒子加工の技術を駆使し、ナノテクノロジーの施工に依って例えば放射性物質であるプルトニウム２３９の固体の立方体形状物である１ｍｍ３の１個は、一辺１００万分の１ｍｍの立方体形状物に形成し縮少すると１００万の３乗倍であるから前記立方体形状物は１００京個の前記微細粒子群に細分割された立方体形状物として製造される。ナノテクノロジー施行後のプルトニウム２３９の前記超微細粒子群達の個々、はそれぞれ相互に分離し合いそしてそれらを全て液体水素を溶媒とした事に対応する溶質とし、前記溶媒と前記溶質とを混合した混合溶液を（放射性溶液２）と仮称する。ちなみに前記プルトニウム２３９の１ｍｍ３の固体の１個はナノテクノロジー施行後、その表面積は１００万の１乗の百万倍に増大し、その個数は前記１個から１００京個へと１００京倍に増大する。前記溶媒である液体水素は１ｍｍ３と仮定する。
図１は無垢のアルミニウム製のＤで示した直径１ｍ、ＡＣで示した厚さ１ｃｍの円形状の金属板であり円盤である。図１と図２とはそれぞれ相互に同一の物体として仮定する。地球上の１気圧内において、しかも人間が普通に生活できる気温である常温中において約１ｍｍ３〜２ｍｍ３程の微量の放射性溶液２である放射能を帯びた水滴を平滑な平面である図１の中心点４に１滴落下させると前記水滴の形状は図１の２の様な同一の中心点４を中心に拡大するほぼ同心円形状態になる。この事は液体の特性である表面張力が作用した事に依る。本考案を構成する要素としての前記溶媒は、できれば水（Ｈ２Ｏ）で成功すれば理想的であるが本考案の内容を科学的に解説及び説明するには前記溶媒は液体水素の方がより一層明確で効果的であり理解され易いと思われる。図１及び図２の円形状の平面は分子相互間、関係の規則正しい配列を形成する程度に精巧である平滑面である事が必要である。円盤１と円盤５とは円盤１の外周付近だけに限定された分量を塗布された接着剤３と放射性溶液２である前記水滴とを介してそれぞれ相互に一体に貼り合わされ図３で示す１個の円盤６として成形される。円盤６の接着面９は接着剤３が占める空間と放射性溶液２が占める空間、以外の空間である隙間の間隔が挟まって行くに連れて前記微量の放射性溶液２は毛細管現象に依り前記隙間の挟間に進入して行きその面積は徐々に拡大していく事に伴いプルトニウム２３９の超微細粒子群達も一緒に拡張及び拡散して行く事で前記超微細粒子群達同士、相互の距離が遠去かる事に依りプルトニウム２３９の有する特性である自発的な核分裂から起因する自発昇温性からの異常発熱及び核爆発の危険は遠去かる。そして前記毛細管現象が限界まで達した時、再び放射性溶液２には表面張力が作用しようとするが円盤６は２枚の円盤１と円盤５とに依って相互に加圧され貼り合わされた事によって放射性溶液２は収縮が困難で不可能と成る事で放射性溶液２は一定の面積の円形状の超薄膜形状態で定位置に停まらざるを得なくなる。それが図３の７で示している接着剤３が存在している場所以外の空間８を挾んで定位置で移動できずに充填されているＥで示した直径８０ｃｍと仮定した超薄膜形状態でほぼ円盤形状態の放射性溶液２であり接着剤３とは間隙である空間８を界して接触していない。プルトニウム２３９には強い毒性が有りそれの接着剤３を侵食して円盤６内部から外部に向かっての放射性溶液２の液漏れの危険性を回避するためである。又放射性溶液２には円盤１と円盤５とをそれぞれ相互に引き剥がす様な円盤１及び円盤５の円形の平面に対しての垂直方向の力である矢印１０、で示す同一直線（破線１７）上のそれぞれ相互に反対方向である２方向の力に対しての接着剤としての役目も有る。なお放射性溶液２は前記加圧に依り密封された状態で定位置に停まっていながら前記充填されている事等の条件に依り、逃げ場が無いだけでなく気化も不可能である。
本明細書中における素粒子相互間、関係の複雑な運動エネルギーの変移や放射性の経時変化の実態を幾何学上における球体の概念を利用し、目視的に簡略化及び合理化するための簡便な思考方式を「放射性核子相互間、関係における３次元ビリヤード効果に依るブラウン運動」と仮称し、それを「放射性３次元ビリヤード効果」と略称する。放射性溶液２の全体を構成している全素粒子群の内、例えば液体水素の全水素原子核中の水素原子核１個とは核子数が１、００８であり原子番号は１である。これは陽子という核子の数が１個であり中性子という核子の数が０、００８個ということを示している。前記中性子は無（０）に等しい程の微量の質量の存在であり本明細書中においては前記質量は説明の都合上、無（０）と仮定する。プルトニウム２３９の原子核１個の核子数は２３９個で原子番号は９４であるから中性子が１４５個有る。そして中間子は９４個であると思われる。放射性溶液２全体を構成している全素粒子群中での水素原子核１個の核子数を１個として仮定して数えプルトニウムの原子核１個の核子数である２３９個と前記核子数１個とを合計すると、つまり前記水素原子核１個と前記プルトニウム２３９の原子核１個との全核子である中性子と陽子との合計が２４０個で中間子が９４個で残りは電子という事であるが、前記全素粒子全体を俯瞰すると中性子と陽子とが占める割合が前記全体の中で圧倒的に多い。
そこであえて前記全素粒子群中の核子群のみの個々、をその全てが個別にそれぞれ相互に同形、同寸、同質量とする考えつまり前記核子群全部をまとめて幾何学上においての同一の球体として統一して想定し、そして仮定する。
（ビリヤード）という名称で有名な別名（撞球）又は（玉突）という名称の遊戯が有る、撞球とは平面板（２次元）上において多数個の同形、同寸、同質量、の球体、すなわち個々、それぞれ相互に個別に同一の球形状物体の集合体のそれぞれ相互の衝突やその後の拡散現象及び分散状況等の前記平面板上での球体が回転しながら直進運動を行っている状況が目視できる。映画中の撞球の場面における映像で平面板（ビリヤード台）上に１個の球が停止していると想定する。前記１個の球と別のもう１個の球（２個の球はそれぞれ相互に同一の質量の物体であるとする。）が一定の距離をおいて存在し、棒（キュー）に依って突かれ転がりながら直進運動を行い前記停止している球に衝突すると、衝突したいわゆるぶつけた方の球は運動エネルギーを失い非常に減速して停止状態に近い程の低速度に落ちる事に対して衝突された、いわゆるぶつけられた方の球は前記停止状態から前記運動エネルギーを獲得したかのように勢い良く転がって行くという現象を目視できる。放射性溶液２を構成している全素粒子群は個々、それぞれ相互に個別に同一の球体として想定されつつ仮定されているから放射性溶液２全体は３次元的なビリヤード台として考えられる。別の形態に例えるなら、一定の容積の箱の中に他数個のパチンコ玉がギッシリ詰め込まれた状態での形態の流体であり、それは放射性溶液２を比喩した液体の形態である。
本明細書中において放射性溶液２中の素粒子の内の例えばプルトニウム２３９中の１個の原子核から分離した１個の中性子が直進運動を起こして水素原子核中の陽子１個と衝突する事を「放射性ビリヤード効果」と仮称する。
何もしなくても静止状態の液体には分子相互間同士に（ブラウン運動）が作用する。前記（ブラウン運動）とは前記液体の分子群が相互に複雑に無秩序に一定の方向性も無く曲折運動を行う事であるから前記分子群達はそれぞれ相互に揉み合いながら内部摩擦に依る摩擦力を発生させる。プルトニウム２３９中の陽子の核子の数は９４個であり中間子の核子の数も９４個と考えられるから残りの１４５個の中性子の内の５１個の中性子には中間子が存在しないため前記陽子との結合形態に無理が生じ核力という結合力が不足しているため前記５１個の中性子群は常時前記２３９の原子核から離脱し易い状態にある不安定で過剰な核子群達であると考えられる。前記過剰な核子群達は前記（ブラウン運動）の前記摩擦力に依ってプルトニウム２３９の原子核から離脱し、分離後、遊離で自由な中性子として直進運動を起こして水素原子核と衝突するが前記中性子の周囲は３次元的（立体的）な水素原子核の壁に覆われている事で前記分離後の中性子の特長である直進運動は遮られ阻まれている事で身動きができず非常に減速され停止に近い状態にまで前記直進運動の運動速度は低下する。
前記「放射性ビリヤード効果」に依れば衝突された方の水素原子核中の１個の陽子は前記過剰な核子群中の１個の中性子から運動エネルギーを獲得して運動を起こす。前述の物理現象はプルトニウム２３９のナノテクノロジー施行後の前記「立方体計量法」に依る１００京個に細分割された前記超微細粒子群の全てにあてはまる事であるから前記静止状態の放射性溶液２全体には分子相互間だけでなく原子核相互間においても（ブラウン運動）が起きる可能性が有り前記中性子の直進運動は曲折運動に変化し、中性子線同士の衝突に依る核分裂の危険性はより一層遠去かる。放射性溶液２中の水素原子核はあえて陽子１個だけで構成されていると仮定されており中間子に依る核力である結合力として吸引力は劣化せず維持されているのでこの事を別の自然現象に例えるなら万有引力を自然発生している地球として比喩される。なお前記中間子は説明の都合上矢印２０、で示す吸引力の図示、以外には図示していない。
「捕獲断面積の１／ν法則」とは（捕獲断面積は中性子の運動速度に反比例する。）という物理現象であるので前記停止状態に近い前記分離後の遊離でしかも自由な運動速度の極めて低い中性子１９は核力の大きい、つまり吸引力の強い水素原子核２１中の陽子に（放射性捕獲）をされ易い状態にあり前記（放射性捕獲）が行われると放射性溶液２中の水素原子核２１は水素１から水素２へと複合核という新しい形態のすなわち重陽子２２に転換される。そして前記重陽子２２に転換された時点においてγ線が放出される。前記「立方体計量法」と前記「放射性ビリヤード効果」との考えを併用して算出すると合計で前記γ線は２００京量子分程放出される事に成る。上記の事柄は「原子核人工変換」の作用では無く、「原子核人工転換」の作用である。